(57)【要約】      （修正有）【課題】自動車分野における高周波伝送に好適なコネクタの大量生産を可能にする解決策を提供する。【解決手段】コネクタ（１０）は、コネクタ（１０）の内部に配置されたコンタクト素子（１１）を備え、コンタクト素子（１１）は、ケーブル（４０）または相手コネクタのような電気的接続素子（２０）に接触するように適合され、コネクタ（１０）は、電気的接続素子（２０）の側に位置するインピーダンス改善要素５０をさらに備え、インピーダンス改善要素（５０）は、コンタクト素子（１１）が通って延びる受けチャネル（５１）と、径方向または軸方向のうちの少なくとも１つに変形するように適合された変形部（５２）とを備える。さらに、コネクタ（１０）と、コネクタ（１０）に取り付けられたケーブル（４０）とを備える接続アセンブリ（３００）が開示され、変形部（５２）は、ケーブル（４０）の誘電体絶縁物（４２）を封止および／または保持している。【選択図】図１
2020177909.tif 000002
【特許請求の範囲】
【請求項１】
自動車分野における高周波伝送のためのコネクタ（１０）であって、前記コネクタ（１０）の内部（１５）に配置された少なくとも１つのコンタクト素子（１１）を備え、前記少なくとも１つのコンタクト素子（１１）は、ケーブル（４０）または相手コネクタ（３０）のような電気的接続素子（２０）に接触するように適合され、前記コネクタ（１０）は、前記電気的接続素子（２０）の側に位置するインピーダンス改善要素（５０）をさらに備え、前記インピーダンス改善要素（５０）は、前記少なくとも１つのコンタクト素子（１１）が通って延びる受けチャネル（５１）と、径方向または軸方向のうちの少なくとも１つに変形するように適合された変形部（５２）とを備えている、コネクタ（１０）。
【請求項２】
前記インピーダンス改善要素（５０）は、前記ケーブル（４０）に接続するように構成された前記コネクタ（１０）の近位側（１４）に位置し、前記ケーブル（４０）の誘電体絶縁物（４２）のためのレセプタクル（５４）を備え、前記変形部（５２）は、径方向に変形するように適合されている、請求項１に記載のコネクタ（１０）。
【請求項３】
前記コネクタ（１０）は、圧着部（１９）を備え、前記インピーダンス改善要素（５０）は、前記圧着部（１９）に位置している、請求項１または２に記載のコネクタ（１０）。
【請求項４】
前記インピーダンス改善要素（５０）は、前記コネクタ（１０）のシールド（１８）に取り付けられている、請求項１から３のいずれか一項に記載のコネクタ（１０）。
【請求項５】
前記インピーダンス改善要素（５０）は、前記相手コネクタ（３０）に接続するように構成された前記コネクタ（１０）の遠位側（１３）に位置し、前記変形部（５２）は、前記相手コネクタ（３０）によって軸方向に変形するように適合されている、請求項１から４のいずれか一項に記載のコネクタ（１０）。
【請求項６】
前記インピーダンス改善要素（５０）は、前記相手コネクタ（３０）に接続するように構成された前記コネクタ（１０）の遠位側（１３）に位置し、前記変形部（５２）は、前記相手コネクタ（３０）によって径方向に変形するように適合されている、請求項１から５のいずれか一項に記載のコネクタ（１０）。
【請求項７】
前記インピーダンス改善要素（５０）は、前記少なくとも１つのコンタクト素子（１１）が前記コネクタ（１０）のハウジング（１７）に取り付けられる取付け部（１６）と、前記少なくとも１つのコンタクト素子（１１）の端部（１１１）との間に位置し、前記端部（１１１）は、前記電気的接続素子（２０）に接続するように構成されている、請求項１から６のいずれか一項に記載のコネクタ（１０）。
【請求項８】
前記変形部（５２）は、発泡材料から構成されている、請求項１から７のいずれか一項に記載のコネクタ（１０）。
【請求項９】
請求項１から８のいずれか一項に記載のコネクタ（１０）で使用されるように適合されたインピーダンス改善要素（５０）。
【請求項１０】
請求項１から８のいずれか一項に記載のコネクタ（１０）と、前記コネクタ（１０）に取り付けられたケーブル（４０）とを備え、前記変形部（５２）は、前記ケーブル（４０）の誘電体絶縁物（４２）を封止および／または保持している、接続アセンブリ（３００）。
【請求項１１】
前記インピーダンス改善要素（５０）は、前記ケーブル（４０）の誘電体絶縁物（４２）に取り付けられている、請求項１０に記載の接続アセンブリ（３００）。
【請求項１２】
少なくとも１つのコンタクト素子（１１）を有するコネクタ（１０）のインピーダンスを改善する方法であって、インピーダンス改善要素（５０）が使用され、前記インピーダンス改善要素（５０）は、前記少なくとも１つのコンタクト素子（１１）のための受けチャネル（５１）と、変形するように適合された変形部（５２）とを備える、方法。
【請求項１３】
前記変形部（５２）を変形させるステップを含む、請求項１２に記載の方法。
【請求項１４】
前記変形部（５２）がケーブル（４０）の誘電体絶縁物（４２）の上で少なくとも部分的に動かされ、次に前記変形部（５２）が径方向に変形する、請求項１２または１３に記載の方法。
【請求項１５】
前記変形が、前記コネクタ（１０）の前記インピーダンスに応じて制御される、請求項１２から１４のいずれか一項に記載の方法。
【発明の詳細な説明】
【技術分野】
【０００１】
本発明は、自動車分野における高周波伝送のためのコネクタ、インピーダンス改善要素、接続アセンブリ、およびコネクタのインピーダンスを改善する方法に関する。
【背景技術】
【０００２】
自動車分野で使用されるコネクタは、大量生産されている。近年では、高速、したがって高周波でデータを伝送することが望ましくなってきた。しかし、高周波伝送に好適な現在のコネクタは、生産が困難でありかつ高価であり、したがって自動車分野に適していない。
【発明の概要】
【発明が解決しようとする課題】
【０００３】
本発明の目的は、特に自動車分野における高周波伝送に好適なコネクタの大量生産を可能にする解決策を提供することである。
【課題を解決するための手段】
【０００４】
本発明によれば、これは、自動車分野における高周波伝送のためのコネクタによって実現され、このコネクタは、コネクタの内部に配置された少なくとも１つのコンタクト素子を備え、少なくとも１つのコンタクト素子は、ケーブルまたは相手コネクタのような電気的接続素子に接触するように適合され、コネクタは、電気的接続素子の側に位置するインピーダンス改善要素をさらに備え、インピーダンス改善要素は、少なくとも１つのコンタクト素子が通って延びる受けチャネルと、径方向または軸方向のうちの少なくとも１つに変形するように適合された変形部とを備えている。
【０００５】
本発明によるインピーダンス改善要素は、本発明によるコネクタ内で使用されるように適合される。
【０００６】
本発明による接続アセンブリは、本発明によるコネクタを備える。
【０００７】
この目的は、コンタクト素子を有するコネクタのインピーダンスを改善する方法によってさらに実現され、この方法では、インピーダンス改善要素が使用され、この要素は、コンタクト素子のための受けチャネルと、変形するように適合された変形部とを備える。
【０００８】
本発明による解決策は、以下のさらなる発展形態および有利な実施形態によってさらに改善することができ、これらの発展形態および実施形態は、互いに独立しており、所望される場合は任意に組み合わせることができる。
【０００９】
インピーダンス改善要素は、コンタクト素子がコネクタのハウジングに取り付けられる取付け部と、少なくとも１つのコンタクト素子の端部との間に位置することができ、この端部は、電気的接続素子に接続するように構成されている。これによって、インピーダンス改善作用が最適化される。
【００１０】
たとえば、インピーダンス改善要素は、ケーブルと取付け部との間に位置することができ、または相手コネクタと取付け部との間に位置することができる。
【００１１】
簡単な構成で、変形部は、発泡材料から構成することができる。そのような材料は、容易に変形可能とすることができる。発泡材料は、連続気泡または独立気泡の発泡材料とすることができる。
【００１２】
有利には、インピーダンス改善要素は、誘電体材料から形成することができる。この材料は、たとえばプラスチックから構成することができる。これにより、容易な形成が可能になる。
【００１３】
さらなる発展形態では、インピーダンス改善要素は、導電性材料から構成することができる。特に、インピーダンス改善要素は、導電性材料からなることができる。導電性材料は、たとえば金属、または金属から構成された材料、たとえば誘電体材料および誘電体材料内の導電性ネットワークから構成されたハイブリッド材料とすることができる。
【００１４】
変形部は、インピーダンス改善要素の反復使用を可能にするように弾性変形可能とすることができる。
【００１５】
代替では、変形部は、塑性変形可能とすることができる。これにより、安定した構成を可能にすることができる。
【００１６】
有利な発展形態では、変形部は、熱収縮性材料から構成することができる。そのような材料は、非収縮状態で加えることができ、次いで熱を加えることによって収縮させることができるため、これにより製造プロセスを改善することができる。
【００１７】
第１の有利な発展形態では、インピーダンス改善要素は、ケーブルに接続するように構成されたコネクタの近位側に位置し、ケーブルの誘電体絶縁物のためのレセプタクルを備え、変形部は、径方向に変形するように適合されている。そのような発展形態では、ケーブルとコネクタとの間の遷移部のインピーダンスを改善することができる。
【００１８】
コネクタは、圧着部を備えることができ、インピーダンス改善要素は、圧着部に位置することができる。たとえば、圧着部が円周方向に閉じている場合、たとえば圧着部が円筒形である場合、インピーダンス改善要素は、圧着部によって画定された空間に位置することができる。
【００１９】
圧着部は、少なくとも部分的に、径方向に塑性変形可能とすることができる。圧着部は、たとえば、圧着工具によって変形可能な金属から構成することができる。圧着部が変形する量は、所望のインピーダンスに制御および調整することができる。
【００２０】
インピーダンス改善要素は、コネクタのシールド要素に取り付けることができる。次いで、電気的接続素子をコネクタに容易に挿入することができ、したがって製造が簡略化される。
【００２１】
インピーダンス改善要素は、たとえば、接着剤または弾性嵌めによってシールド要素に取り付けることができる。
【００２２】
シールド要素は、ハウジングの一部とすることができる。特に、シールド要素は、コネクタのハウジング全体を構成することができる。さらに有利な発展形態では、インピーダンス改善要素は、相手コネクタに接続するように構成されたコネクタの遠位側に位置し、変形部は、相手コネクタによって軸方向に変形するように適合されている。そのような発展形態では、コネクタと相手コネクタとの間の遷移領域のインピーダンスを改善することができる。
【００２３】
組み立てられた状態でコネクタと相手コネクタとの間に異なる距離をもたらす形成プロセス中の公差を補償するために、変形部は、差込み方向に弾性変形可能なばね部を備えることができる。差込み方向は、コネクタが相手コネクタに嵌合される方向である。
【００２４】
１つの代替では、変形部は、螺旋部を備えることができる。そのような構成は、ばね機能を有することができる。ばね定数は、たとえば、螺旋部の材料厚さおよび巻き密度の適当な選択によって調整することができる。
【００２５】
螺旋の軸は、簡単な動作を可能にするために、コネクタの差込み方向に平行とすることができる。
【００２６】
さらなる代替では、変形部は、蛇行部を備えることができる。これにより、変形度を維持しながらインピーダンスを改善するための材料を加えることを可能にすることができる。
【００２７】
さらなる代替では、変形部は、円板を備えることができる。これらの円板は、絶縁作用を有することができる。
【００２８】
変形部は、ジグザグ部を備えることができる。ジグザグ部は、互いに傾斜しているいくつかの相互接続部を有することができる。相互接続部はそれぞれ、差込み方向に直交する方向にわずかに傾斜させることができる。そのような構成は、コンタクト素子の周りの領域のインピーダンスを改善する材料を提供しながら、ばね作用を有することができる。
【００２９】
インピーダンス改善要素は、成形プロセスによって形成することができる。インピーダンス改善要素は、既存の要素、たとえばハウジングへ成形することができる。別法として、インピーダンス改善要素は、別個の部品とすることができ、さらなる部品に取り付けることができる。インピーダンス改善要素は、既存のコネクタの性能を改善するために、それらのコネクタに取り付けられるように構成することができる。
【００３０】
代替実施形態では、インピーダンス改善要素は、機械加工によって形成することができる。
【００３１】
インピーダンス改善要素は、乾燥シリコーンゲルなどの粘弾性材料から構成することができる。これらの材料は、無機能の空隙内へ圧搾することができ、これには誘電率が一定になるという追加の利点がある。
【００３２】
さらに有利な発展形態では、インピーダンス改善要素は、相手コネクタに接続するように構成されたコネクタの遠位側に位置し、変形部は、径方向に変形するように適合されている。そのような発展形態では、ケーブルとコネクタとの間の遷移部のインピーダンスを改善することができる。
【００３３】
インピーダンス改善要素は、コネクタまたは電気的接続素子、特に相手コネクタまたはケーブルの外側導体に接触するように構成することができる。取り付けられた状態で、インピーダンス改善要素は、外側導体に接触することができる。外側導体は、コネクタのシールドまたはハウジングの一部とすることができる。外側導体は、接地または類似の共通電圧レベルに接続することができる。
【００３４】
コネクタは、特に変形状態にあるインピーダンス改善要素を受け入れるように構成された凹部を備えることができる。たとえば、凹部は、チャネルを備えることができ、たとえば変形しているときのインピーダンス改善要素の変形部の部品を受け入れるように適合させることができる。特に、凹部は、径方向外方に変形可能なインピーダンス改善要素を受け入れるように、径方向内方に開くことができる。
【００３５】
インピーダンス改善要素および変形部は、小さい力で容易な変形を可能にするように、中空部を備えることができる。接続アセンブリは、本発明によるコネクタと、コネクタに取り付けられたケーブルとを備えることができ、変形部は、ケーブルの誘電体絶縁物を封止および／または保持している。したがって、短絡が生じる可能性のある空気およびクリープ接続を避けることができ、または細長くすることができる。
【００３６】
簡単な製造を保つために、インピーダンス改善要素は、ケーブルとコネクタとの間の接続を形成する前にケーブルの誘電体絶縁物に取り付けることができる。次いで、そのような配置の上にコネクタを滑らせることができる。
【００３７】
接続アセンブリは、本発明によるコネクタと、コンタクト素子のための少なくとも１つの相手側コンタクト素子を有する相手コネクタとを備えることができ、インピーダンス改善要素は、少なくとも１つのコンタクト素子および少なくとも１つの相手側コンタクト素子が互いに接触するコンタクト領域を取り囲む。そのような実施形態では、少なくとも１つのコンタクト素子と少なくとも１つの相手側コンタクト素子との間の遷移部のインピーダンスを改善することができる。
【００３８】
良好なインピーダンスの改善を実現するために、インピーダンス改善要素は、少なくともその長さにわたって、少なくとも１つのコンタクト素子の円周を３６０°覆うことができる。
【００３９】
本発明による方法は、有利には、変形部を変形させるステップを含むことができる。
【００４０】
たとえば、変形部をケーブルの誘電体絶縁物の上で少なくとも部分的に動かすことができ、次に変形部を径方向に変形させることができる。
【００４１】
インピーダンスを調整するために、コネクタおよび／または接続アセンブリのインピーダンスに応じて、変形を制御することができる。インピーダンスは、たとえば、変形プロセス中にＴＤＲ測定によって測定することができる。
【００４２】
調整は、たとえば、圧着高さを調整することによって行うことができる。たとえば、圧着部の断面および／または円周は、ケーブルの外側導体の断面および／または円周に一致させることができる。これらの値の±２０％のずれは、一致していると見なすことができる。
【００４３】
圧着部における断面および／または円周は、ケーブルの外側導体における断面および／または円周より小さくすることができる。これによって、より大きい断面または円周を有する近くの部分を補償することができる。
【００４４】
変形部におけるコア導体と外側導体との間のインピーダンスは、ケーブルのインピーダンスに一致するように調整することができる。これらのインピーダンスの±２０％のずれは、一致していると見なすことができる。
【００４５】
変形部におけるインピーダンスは、ケーブルのインピーダンスより小さくなるように調整することができる。これを使用して、圧着部の前または後のインピーダンスがより高い領域を補償することができる。
【００４６】
有利な実施形態では、変形部またはインピーダンス改善要素は、径方向に変形することができ、インピーダンス改善要素は、コネクタまたは電気的接続素子の外側導体に接触するように適合させることができる。
【００４７】
さらなる実施形態では、変形部は、軸方向に変形することができる。これは、接続ステップ中の相手コネクタの動きによって行うことができる。特にこの変形は、差込みプロセス中に自動的に生じることができる。インピーダンス改善要素は、そのような自動変形を実現するために、相手コネクタの嵌合面のための停止面を前部に備えることができる。
【００４８】
インピーダンス改善要素は、チューブ状またはスリーブ状とすることができる。これにより、容易な組立てを可能にすることができる。たとえば、インピーダンス改善要素は、取付けプロセスを改善するために、少なくとも部分的に円形の断面を有することができる。別法として、インピーダンス改善要素は、他のタイプの断面、たとえば矩形または楕円形の断面を有することもできる。
【００４９】
インピーダンス改善要素は、大きい内径を有する第１の部分と、より小さい内径を有する第２の部分とを有することができる。第１の部分は、近位側の方を向くことができる。第２の部分は、遠位側の方を向くことができる。
【００５０】
少なくとも１つのコンタクト素子は、前部の貫通孔を通ってインピーダンス改善要素から突出することができる。これによって、簡単な接触を実現することができる。
【００５１】
少なくとも１つのコンタクト素子および貫通孔は、精密な位置決めおよび封止作用を可能にするために、嵌合する傾斜面またはベベル面を有することができる。
【００５２】
インピーダンス改善要素は、相手コネクタの対応する要素のための停止面を備えることができる。これにより、精密な位置決めを可能にすることができる。
【００５３】
インピーダンス改善要素は、少なくとも１つのコンタクト素子を相手コネクタにおける対応する要素とともに封止する封止面を前部に備えることができる。
【００５４】
たとえば異なる材料の使用を可能にするために、インピーダンス改善要素は、別個の部品とすることができる。インピーダンス改善要素は、それらのインピーダンス性能を改善するために、別個に形成して後に既存のコネクタに追加することができる部品とすることができる。
【００５５】
さらなる実施形態では、インピーダンス改善要素は、他の要素に一体化することができ、かつ／または他の要素とモノリシックにすることができる。たとえば、インピーダンス改善要素は、絶縁部品、特にコア導体と外側導体との間の誘電体絶縁物に一体化することができ、またはそれによって形成することができる。
【００５６】
本発明について、有利な実施形態を使用して、図面を参照し、より詳細に例示的に次に説明する。記載する実施形態は可能な構成にすぎないが、これらの構成では、上述した個々の特徴を互いに独立して提供することができ、または省略することができる。
【図面の簡単な説明】
【００５７】
【図１】コネクタの一実施形態の概略的な長手方向断面図である。
【図２】方法ステップ中の図１の実施形態の概略的な長手方向断面図である。
【図３】図２の細部の拡大図である。
【図４】圧着ステップ後の図１の実施形態の概略的な長手方向断面図である。
【図５】図４の細部の拡大図である。
【図６】コネクタのさらなる実施形態の概略的な長手方向断面図である。
【図７】図６に示すコネクタの実施形態の概略的な側面図である。
【図８】コネクタのさらなる実施形態の概略的な側面図である。
【図９】コネクタのさらなる実施形態の概略的な側面図である。
【図１０Ａ】第１の状態におけるコネクタのさらなる実施形態の概略的な断面図である。
【図１０Ｂ】第２の状態におけるコネクタのさらなる実施形態の概略的な断面図である。
【図１１Ａ】第１の状態におけるコネクタのさらなる実施形態の概略的な断面図である。
【図１１Ｂ】第２の状態におけるコネクタのさらなる実施形態の概略的な断面図である。
【図１２Ａ】第１の状態におけるコネクタのさらなる実施形態の概略的な断面図である。
【図１２Ｂ】第２の状態におけるコネクタのさらなる実施形態の概略的な断面図である。
【発明を実施するための形態】
【００５８】
図１〜図５に、コネクタ１０およびコネクタ１０のインピーダンスを改善する方法の第１の実施形態が示されている。
【００５９】
コネクタ１０は、自動車分野で使用することができる。しかし、当然ながら他の用途も可能である。
【００６０】
コネクタ１０は、コネクタ１０を差込み方向Ｐに沿って相手コネクタ３０に差し込むことによって、相手コネクタ３０（たとえば、図２参照）に接続するように適合される。したがって、コネクタ１０はコンタクト素子１１を有し、コンタクト素子１１は、この例では、相手コネクタ３０の相手側コンタクト素子３１内、たとえばソケット内に受け取ることができるピンとして実施される。コンタクト素子１１は、コネクタ１０の内部１５に配置され、遠位端１３で相手コネクタ３０のような電気的接続素子２０に接触し、または遠位端１３とは反対側の近位端１４でケーブル４０に接触するように適合される。
【００６１】
特に、コンタクト素子１１は、ケーブル４０のコア導体４１に取り付けられる。コア導体４１は、誘電体絶縁物４２によって取り囲まれ、誘電体絶縁物４２は、ケーブル４０の外側導体４３によって取り囲まれる。
【００６２】
コネクタ１０は、インピーダンス改善要素５０をさらに備える。この場合、インピーダンス改善要素５０は、ケーブル４０とコンタクト素子１１との間の接続を改善するために、ケーブル４０の側に位置する。
【００６３】
インピーダンス改善要素５０は、コネクタ１０内にコンタクト素子１１のための受けチャネル５１を備え、コンタクト素子１１は、受けチャネル５１を通って延びる。さらに、インピーダンス改善要素５０は、変形するように適合された変形部５２を備える。この場合、変形部５２は、コンタクト素子１１が延びる軸方向Ａに直交する径方向Ｒに変形するように適合される。軸方向Ａは、差込み方向Ｐに対して平行である。
【００６４】
変形部５２は、容易に変形可能になるように、発泡材料から構成することができる。他の実施形態では、変形部は、熱収縮性材料から構成することができる。
【００６５】
変形部５２は、弾性または塑性変形可能とすることができる。
【００６６】
インピーダンス改善要素５０は、誘電体材料から形成され、したがって絶縁作用を提供する。インピーダンス改善要素５０は、たとえば、プラスチック材料またはゴム状材料から形成することができる。
【００６７】
インピーダンス改善要素５０は、コネクタ１０の近位側１４に位置する。インピーダンス改善要素５０は、ケーブル４０の誘電体絶縁物４２のためのレセプタクル５４を備える。したがって、誘電体絶縁物４２は、インピーダンス改善要素５０の内部１５に突出する。
【００６８】
コネクタ１０は、径方向に圧着するように適合された圧着部１９を備える。圧着部１９は、径方向Ｒに塑性変形可能である。図２〜図５に示すように、圧着工具２００を使用して、径方向の圧力を加えることによって、圧着部１９およびインピーダンス改善要素５０の変形部５２を変形させる。この圧着ステップで、圧着部１９は、インピーダンス改善要素５０をケーブル４０に圧搾し、したがってこれら２つをさらに機械的に接続する。この圧着プロセスにより、コネクタ１０のハウジング１７にくぼみ１９１が残る。ハウジング１７はまた、ケーブルの外側導体４３に接続されて電磁シールドを提供するシールド１８を備える。図２に、くぼみ１９１が背景に位置する断面が示されている。
【００６９】
変形部５２は、圧着部１９によって画定された空間１９０に位置する。圧着および変形後、インピーダンス改善要素５０の内部は封止される。したがって、ケーブルのコア導体４１は外側導体４３から絶縁され、空気または汚れを介した導電による短絡が最小になる。
【００７０】
インピーダンス改善要素５０は、圧着を行う前に、ケーブル４０またはコネクタ１０に取り付けることができる。これにより、容易な組立てが可能になる。インピーダンス改善要素５０は、たとえば、接着剤または弾性嵌めによって取り付けることができる。
【００７１】
前側から見ると、インピーダンス改善要素５０は、コンタクト素子の円周全体を覆っている。これにより、インピーダンス改善作用が最大になり、封止が保証される。
【００７２】
圧着工具２００が圧着部１９およびインピーダンス改善要素５０の変形部５２を変形させる量は、この領域における所望のインピーダンスに応じて調整することができる。この量は、たとえば、圧着プロセス中に、インピーダンスを測定することによって調整することができる。インピーダンスは、たとえば、変形プロセス中にＴＤＲ測定によって測定することができる。
【００７３】
圧着工具２００は、コネクタ１０の円周全体または一部のみで圧着を実行することができる。
【００７４】
調整は、たとえば、圧着高さを調整することによって行うことができる。たとえば、圧着部１９におけるハウジング１７およびシールド１８の断面１９２および／または円周は、ケーブル４０の外側導体４３における断面４３０および／または円周に一致させることができる。これらの値の±２０％のずれは、一致していると見なすことができる。
【００７５】
圧着部１９における断面１９２および／または円周は、ケーブル４０の外側導体４３における断面４３０および／または円周より小さくすることができる。これによって、より大きい断面または円周を有する近くの部分を補償することができる。
【００７６】
変形部１９におけるインピーダンスは、ケーブル４０のインピーダンスに一致するように調整することができる。これらのインピーダンスの±２０％のずれは、一致していると見なすことができる。
【００７７】
変形部１９におけるインピーダンスは、ケーブルのインピーダンスより小さくなるように調整することができる。これを使用して、圧着部１９の前または後のインピーダンスがより高い領域を補償することができる。
【００７８】
インピーダンス改善要素５０は、チューブ状またはスリーブ状とすることができる。これにより、容易な組立てを可能にすることができる。インピーダンス改善要素５０は、円形の断面を有することができる。他の実施形態では、インピーダンス改善要素５０は、異なる断面を有することもできる。
【００７９】
インピーダンス改善要素５０は、大きい内径を有する第１の部分２５１と、より小さい内径を有する第２の部分２５２とを有することができる。
【００８０】
コンタクト素子１１は、遠位端１３の貫通孔５７を通ってインピーダンス改善要素５０から突出することができる。これによって、簡単な接触を実現することができる。
【００８１】
コンタクト素子１１および貫通孔５７は、精密な位置決めを可能にするために、嵌合する傾斜面５８、１１８を有することができる。
【００８２】
インピーダンス改善要素５０は、相手コネクタの対応する要素のための停止面６５を備えることができる。これにより、精密な位置決めを可能にすることができる。
【００８３】
インピーダンス改善要素は、コンタクト素子１１を相手コネクタ３０における対応する要素とともに封止する封止面５９を遠位側１３に備えることができる。
【００８４】
接続アセンブリ３００が、コネクタ１０と、コネクタ１０に取り付けられたケーブル４０とを備える。
【００８５】
図６および図７に、インピーダンス改善要素５０を有するコネクタ１０のさらなる実施形態が示されている。図６で、コネクタ１０は相手コネクタ３０に接続され、相手コネクタ３０は、コネクタ１０のコンタクト素子１１のための相手側コンタクト素子３１としてソケットを備える。
【００８６】
この場合も、コネクタ１０は自動車分野で使用される。この分野では、多数のコネクタ１０を低コストで製造する必要がある。このとき製造されるコネクタ１０は大きい公差を有し、コネクタ１０と対向するコネクタ３０との間の距離が大幅に変動する。これは、接続アセンブリ３００のインピーダンスの変動を招く。
【００８７】
コンタクト素子１１とケーブル４０との間の遷移領域に位置する前述したインピーダンス改善要素５０とは別に、コネクタ１０は、コンタクト素子１１の前部の周りに位置する第２のインピーダンス改善要素５０をさらに備える。このインピーダンス改善要素５０は、この場合も、コンタクト素子１１のための受けチャネル５１を備える。このインピーダンス改善要素５０はまた、変形するように適合された変形部５２を備える。このインピーダンス改善要素５０の変形部５２は、軸方向に変形することができる。相手コネクタ３０に接触するとき、変形部５２は、コンタクト素子１１の軸方向Ａに沿って変形する。これによって、コネクタ１０のコンタクト素子１１とハウジング１７との間の空間に誘電体材料が充填され、インピーダンスが改善される。
【００８８】
図６および図７に示す実施形態は、円板１７０を備え、円板１７０の平面は、径方向Ｒに沿って延び、したがって差込み方向Ｐおよび軸方向Ａに直交する。したがって、これらの円板は、絶縁作用を提供することができる。
【００８９】
図９に、コネクタ１０のさらなる実施形態が示されている。コネクタ１０は、この場合も、コンタクト素子１１の周りに位置するインピーダンス改善要素５０を備える。インピーダンス改善要素５０は、軸方向に変形することができる変形部５２を備える。変形部５２は、螺旋部１５０を備え、螺旋部１５０では材料がねじ状に配置される。螺旋部１５０の軸１５５は、コネクタ１０の差込み方向Ｐに沿って延びる。
【００９０】
そのような構成の結果、軸方向Ａに沿ってばね力をもたらすことができる。コネクタ１０が相手コネクタ３０に差し込まれるとき、変形部５２は自動的に変形する。それによって、インピーダンスは、形成公差とは関係なく改善される。
【００９１】
図８は、コネクタ１０のさらなる実施形態を示す。この実施形態で、インピーダンス改善要素５０の変形部５２は、相互接続部１５１を有するジグザグ部１６０を備える。相互接続部１５１はそれぞれ、径方向Ｒに対してわずかな角度１５２を有する。
【００９２】
図６〜図９の実施形態では、インピーダンス改善要素は、コンタクト素子１１がコネクタ１０のハウジング１７に取り付けられる取付け部１６と、コンタクト素子１１の端部１１１との間に位置し、端部１１１は、相手コネクタ３０の形の電気的接続素子２０に接続するように構成されている。
【００９３】
さらに、図６〜図９の実施形態では、インピーダンス改善要素５０は、コネクタ１０の遠位側１３に位置し、遠位側１３は、相手コネクタ３０に接続するように構成される。
【００９４】
インピーダンス改善要素５０は、コンタクト領域８１の近傍に位置し、コンタクト領域８１では、コンタクト素子１１が相手側コンタクト素子３１に接触する。
【００９５】
さらに、インピーダンス改善要素５０は、その長さにわたって、少なくともコンタクト素子１１の円周を３６０°覆う。図１０Ａおよび図１０Ｂには、インピーダンス改善要素５０を有するコネクタ１０のさらなる実施形態が示されている。コネクタ１０は、相手コネクタ３０に接続されており、図１０Ａおよび図１０Ｂには異なる嵌合深さで示されている。
【００９６】
インピーダンス改善要素５０は、導電性材料から構成され、コネクタ１０の外側導体６３と導電接続している。この場合、外側導体６３はハウジング１７であり、シールド１８としても働き、接地に接続される。この外側導体６３はまた、相手コネクタ３０の外側導体６３にも接続される。
【００９７】
インピーダンス改善要素５０の変形性の結果、すべての嵌合深さに対するインピーダンスが改善される。
【００９８】
インピーダンス改善要素５０は、空き空間６４を取り囲むリングとして実施され、空き空間６４は、コンタクト素子１１のための受けチャネル５１として働く。
【００９９】
図１１Ａ、図１１Ｂ、図１２Ａ、および図１２Ｂは、コネクタ１０のさらなる実施形態を示す。これらの実施形態では、インピーダンス改善要素５０および変形部５２は径方向に変形可能である。図１０Ａおよび図１０Ｂの実施形態と同様に、インピーダンス改善要素５０は、外側導体６３に接触するように構成され、導電性材料から構成される。
【０１００】
インピーダンス改善要素５０は、この場合も、コネクタ１０の遠位側１３に位置し、遠位側１３は、相手コネクタ３０に接触するように適合された側である。インピーダンス改善要素５０は、基本的に円環形の構成を有し、外側のリングが内側に中空部６６を有する。中空部６６により、変形部５２の変形性が改善される。相手コネクタ３０のくさび形の前部部分４５が、対向コネクタに接続されたとき、インピーダンス改善要素５０を変形させる。この挿入プロセス中、インピーダンス改善要素５０、特に変形部５２は径方向に変形し、中空部６６は最小の体積に圧搾される。変形部５２が径方向に変形することから、インピーダンス改善要素５０のインピーダンスは、相手コネクタ３０の嵌合または挿入深さに応じて異なり、接続アセンブリ３００の全体的なインピーダンスが改善される。
【０１０１】
図１２Ａおよび図１２Ｂには、さらなる実施形態が示されている。インピーダンス改善要素５０は、この場合も、コネクタ１０の遠位側１３に位置し、径方向に変形可能である。相手コネクタ３０がコネクタ１０に挿入されたとき、インピーダンス改善要素５０の変形部５２は、相手コネクタ３０上のくさび形の前部部分４５により、径方向外方にたわむ。インピーダンス改善要素５０を受け入れるために、コネクタ１０内に凹部６８が存在する。凹部６８は、コネクタ１０の外側導体６３によって形成される。凹部６８はチャネル状であり、チャネルは、径方向外方にたわむインピーダンス改善要素を受け入れるように、径方向内方に開いている。
【０１０２】
このインピーダンス改善要素５０は、この場合も、導電性を有することができ、コネクタ１０の外側導体６３に電気接触することができる。相手コネクタ３０の挿入深さに応じて、インピーダンス改善要素５０、特に変形部５２のたわみも変動する。したがって、この領域の外観も変動し、接続アセンブリ３００の全体的なインピーダンスは、インピーダンス改善要素５０のない構成に比べて改善される。
【０１０３】
図示の実施形態では、インピーダンス改善要素５０は、別個に製造することができる別個の部品である。しかし、他の実施形態では、インピーダンス改善要素５０を他の部品に一体化することができ、または他の部品とモノリシックにすることができる。たとえば、ハウジング１７またはコア導体と外側導体との間の誘電体絶縁物が、インピーダンス改善要素５０を形成することができる。
【符号の説明】
【０１０４】
１０  コネクタ
１１  コンタクト素子
１２  電気的接続素子の側
１３  遠位側
１４  近位側
１５  内部
１６  取付け部
１７  ハウジング
１８  シールド
１９  圧着部
２０  電気的接続素子
３０  相手コネクタ
３１  相手側コンタクト素子
４０  ケーブル
４１  コア導体
４２  絶縁物
４３  外側導体
４５  前部部分
５０  インピーダンス改善要素
５１  受けチャネル
５２  変形部
５４  レセプタクル
５５  ばね部
５７  貫通孔
５８  傾斜面
５９  封止面
６３  外側導体
６４  空き空間
６５  停止面
６６  中空部
６８  凹部
８１  コンタクト領域
１１１  コンタクト素子の端部
１１８  傾斜面
１５０  螺旋部
１５１  相互接続部
１５２  角度
１５５  軸
１６０  ジグザグ部
１７０  円板
１９０  圧着部によって画定される空間
１９１  くぼみ
１９２  断面
２００  圧着工具
２５１  第１の部分
２５２  第２の部分
３００  接続アセンブリ
４３０  断面
Ａ  軸方向
Ｐ  差込み方向
Ｒ  径方向
【図１】
2020177909.tif 000003
【図２】
2020177909.tif 000004
【図３】
2020177909.tif 000005
【図４】
2020177909.tif 000006
【図５】
2020177909.tif 000007
【図６】
2020177909.tif 000008
【図７】
2020177909.tif 000009
【図８】
2020177909.tif 000010
【図９】
2020177909.tif 000011
【図１０Ａ】
2020177909.tif 000012
【図１０Ｂ】
2020177909.tif 000013
【図１１Ａ】
2020177909.tif 000014
【図１１Ｂ】
2020177909.tif 000015
【図１２Ａ】
2020177909.tif 000016
【図１２Ｂ】
2020177909.tif 000017
【外国語明細書】
2020177909000001.pdf